(57)【要約】【課題】容器本体の収容部内への外気の侵入に起因し、吐出できずに残留する内容物の量を低減することのできる吐出容器を提供する。【解決手段】本発明に係る吐出容器１は、筒状の口部２を有する容器本体３と、口部２に取付けられるポンプ装置４と、を備え、容器本体３は、口部２に連なり内容物を収容するとともにポンプ装置４による内容物の吐出に伴って減容変形する収容部５を有し、口部２の内周面には、径方向内側に突出し、ポンプ装置４に全周に亘って密着可能な環状凸部６が設けられていることを特徴とする。【選択図】図１
2018034863.tif 000002
【特許請求の範囲】
【請求項１】
筒状の口部を有する容器本体と、
前記口部に取付けられるポンプ装置と、を備え、
前記容器本体は、前記口部に連なり内容物を収容するとともに前記ポンプ装置による前記内容物の吐出に伴って減容変形する収容部を有し、
前記口部の内周面には、径方向内側に突出し、前記ポンプ装置に全周に亘って密着可能な環状凸部が設けられていることを特徴とする吐出容器。
【請求項２】
前記口部にねじ部を介して装着される装着キャップをさらに備え、
前記装着キャップは、前記口部に装着されることによって前記ポンプ装置を前記口部に取付けることが可能であり、
前記環状凸部は、前記口部に対する前記装着キャップのねじ込みが不完全なときに、前記ポンプ装置に全周に亘って密着可能である、請求項１に記載の吐出容器。
【請求項３】
前記容器本体は、該容器本体の外郭を形成する外層体と、該外層体の内側に配置されるとともに前記外層体から剥離可能な内層体と、を有する積層剥離容器であり、
前記内層体によって前記収容部が構成されている、請求項１又は２に記載の吐出容器。
【請求項４】
前記ポンプ装置は、
前記口部に取付けられるシリンダと、
前記シリンダ内に上方付勢状態で上下動可能に配置されるとともに内側に内容物の流路を区画するステムと、
前記ステムの上下動に伴って前記シリンダ内を上下に摺動可能なピストンと、
前記ステムに設けられ、前記ピストンの下方への移動時は開く一方、上方への移動時は閉じる吐出弁と、
前記シリンダに設けられ、前記ピストンの下方への移動時は閉じる一方、上方への移動時は開く吸込弁と、を備え、
前記環状凸部は、前記シリンダに全周に亘って密着可能である、請求項１〜３のいずれか一項に記載の吐出容器。
【発明の詳細な説明】
【技術分野】
【０００１】
本発明は、吐出容器に関する。
【背景技術】
【０００２】
従来、筒状の口部を有する容器本体と、口部に取付けられるポンプ装置と、を備え、容器本体に、ポンプ装置による内容物の吐出に伴って減容変形（容積を減少させていくように変形）する収容部を設けた吐出容器が知られている。例えば、特許文献１に記載される吐出容器は、ポンプ装置を口部に挿入し、装着キャップを口部に装着することにより、ポンプ装置のフランジ部の下面に設けられたパッキンシールが口部の上端面に密着した状態となって、ポンプ装置が容器本体に取付けられるように構成されている。
【先行技術文献】
【特許文献】
【０００３】
【特許文献１】特開平１０−１２８１７８号公報
【発明の概要】
【発明が解決しようとする課題】
【０００４】
しかしながら、特許文献１に記載されるような吐出容器では、例えば、内容物がなくなった後、消費者等が内容物を収容している他の容器本体にポンプ装置を付け替えて使用する際、装着キャップの不完全なねじ込みをしてしまった場合や、口部の上端面やパッキンシールなどに傷が入ってしまった場合などにおいては、口部とポンプ装置との間の隙間から外気が収容部内へと侵入するため、特に内容物が高粘度のものである場合に、ポンプ装置の駆動時にエアーポケット（ポンプ装置の吸上げ口が、侵入する空気に包まれた状態）が発生し、内容物の吐出が妨げられるおそれがあった。
【０００５】
本発明は、このような問題に鑑み開発されたもので、容器本体の収容部内への外気の侵入に起因し、吐出できずに残留する内容物の量を低減することのできる吐出容器を提供することを目的とする。
【課題を解決するための手段】
【０００６】
本発明に係る吐出容器は、
筒状の口部を有する容器本体と、
前記口部に取付けられるポンプ装置と、を備え、
前記容器本体は、前記口部に連なり内容物を収容するとともに前記ポンプ装置による前記内容物の吐出に伴って減容変形する収容部を有し、
前記口部の内周面には、径方向内側に突出し、前記ポンプ装置に全周に亘って密着可能な環状凸部が設けられていることを特徴とする。
【０００７】
また、本発明に係る吐出容器では、
前記口部にねじ部を介して装着される装着キャップをさらに備え、
前記装着キャップは、前記口部に装着されることによって前記ポンプ装置を前記口部に取付けることが可能であり、
前記環状凸部は、前記口部に対する前記装着キャップのねじ込みが不完全なときに、前記ポンプ装置に全周に亘って密着可能であることが好ましい。
【０００８】
また、本発明に係る吐出容器では、
前記容器本体は、該容器本体の外郭を形成する外層体と、該外層体の内側に配置されるとともに前記外層体から剥離可能な内層体と、を有する積層剥離容器であり、
前記内層体によって前記収容部が構成されていることが好ましい。
【０００９】
さらに、本発明に係る吐出容器では、
前記ポンプ装置は、
前記口部に取付けられるシリンダと、
前記シリンダ内に上方付勢状態で上下動可能に配置されるとともに内側に内容物の流路を区画するステムと、
前記ステムの上下動に伴って前記シリンダ内を上下に摺動可能なピストンと、
前記ステムに設けられ、前記ピストンの下方への移動時は開く一方、上方への移動時は閉じる吐出弁と、
前記シリンダに設けられ、前記ピストンの下方への移動時は閉じる一方、上方への移動時は開く吸込弁と、を備え、
前記環状凸部は、前記シリンダに全周に亘って密着可能であることが好ましい。
【発明の効果】
【００１０】
本発明によれば、容器本体の収容部内への外気の侵入に起因し、吐出できずに残留する内容物の量を低減することのできる吐出容器を提供することができる。
【図面の簡単な説明】
【００１１】
【図１】本発明の一実施形態に係る吐出容器について、口部に対する装着キャップのねじ込みが完全になされた状態を示す一部側面断面図である。
【図２】本発明の一実施形態に係る吐出容器について、口部に対する装着キャップのねじ込みが不完全な状態を示す一部側面断面図である。
【図３】図２の一部拡大図である。
【発明を実施するための形態】
【００１２】
以下、図１〜図３を参照して、本発明の一実施形態に係る吐出容器１について詳細に例示説明する。なお、本明細書において、上下方向とは、口部２の中心軸線Ｏに沿う方向を意味し、容器本体３からみて口部２側が上側、底部１８側が下側を意味する。
【００１３】
図１に示すように、本実施形態に係る吐出容器１は、筒状の口部２を有する容器本体３と、口部２に取付けられるポンプ装置４と、を備える。容器本体３は、口部２に連なり内容物を収容するとともにポンプ装置４による内容物の吐出に伴って減容変形する収容部５を有する。口部２の内周面には、径方向内側に突出し、ポンプ装置４に全周に亘って密着可能な環状凸部６が設けられている。
【００１４】
また、吐出容器１は、口部２にねじ部７を介して装着される装着キャップ８をさらに備え、装着キャップ８は、口部２に装着されることによってポンプ装置４を口部２に取付けることが可能である。環状凸部６は、図２〜図３に示すように、口部２に対する装着キャップ８のねじ込みが不完全なときに、ポンプ装置４に全周に亘って密着可能である。なお、環状凸部６は、図１に示すように、口部２に対する装着キャップ８のねじ込みが完全なときにも、ポンプ装置４に全周に亘って密着可能である。
【００１５】
しかしながら、このような構成は必須ではなく、ポンプ装置４は、装着キャップ８を介さずに口部２に取付けられるように構成してもよい。例えば、ポンプ装置４は、アンダーカット形状を介した嵌合などによって、口部２に取付け可能であってもよい。
【００１６】
また、容器本体３は、該容器本体３の外郭を形成する外層体９と、該外層体９の内側に配置されるとともに、外層体９から剥離可能な内層体１０と、を有する積層剥離容器であり、内層体１０によって収容部５が構成されている。ただし、容器本体３は、このような積層剥離容器に限られない。
【００１７】
例えば、容器本体３は、二重容器であってもよい。この場合、二重容器は、容器本体の外郭を形成する外郭体と、該外郭体とは別個に形成された後に外郭体の内側に配置される袋体と、を有し、袋体によって収容部が構成される。
【００１８】
また、容器本体３は、薄肉容器であってもよい。この場合、薄肉容器は、口部と、収容部とを有するブロー成形容器等であってもよい。
【００１９】
また、薄肉容器は、口部と、収容部とを接合して得られるものであってもよい。この場合、薄肉容器は、口部を構成するスパウトと、樹脂フィルム等で構成され、収容部を構成するパウチと、を有するパウチ（袋状）容器であってもよい。この場合、パウチ容器は、スパウトが、口部と、口部からフランジ状（ひし形形状、楕円形状等）に突出する突出部と、を有し、パウチの開口部が突出部に溶着されたものとしてもよい。
【００２０】
ポンプ装置４は、口部２に取付けられるシリンダ１１と、シリンダ１１内に上方付勢状態で上下動可能に配置されるとともに内側に内容物の流路を区画するステム１２と、ステム１２の上下動に伴ってシリンダ１１内を上下に摺動可能なピストン１３と、ステム１２に設けられ、ピストン１３の下方への移動時は開く一方、上方への移動時は閉じる吐出弁１４と、シリンダ１１に設けられ、ピストン１３の下方への移動時は閉じる一方、上方への移動時は開く吸込弁１５と、を備える。環状凸部６は、シリンダ１１に全周に亘って密着可能である。しかしながら、ポンプ装置４はこのような構成に限定されない。
【００２１】
以上、説明した本実施形態に係る吐出容器１によれば、図１に示したように、口部２の内周面に設けられた環状凸部６を、ポンプ装置４に全周に亘って密着させることにより、この密着部分をシール部として機能させることができるため、例えば、内容物がなくなった後、消費者等が内容物を収容している他の容器本体３にポンプ装置４を付け替えて使用する際、口部２の上端面１６や、該上端面１６に当接させるパッキンシール１７などに傷が入ってしまった場合でも、口部２とポンプ装置４との間の隙間から外気が収容部５の内部に侵入することを防止することができる。
【００２２】
したがって、例えば図１中に湾曲する二点鎖線で示すような、エアーポケット（ポンプ装置４の吸上げ口（図示省略）が、侵入する空気に包まれて、収容部５が減容しない状態。二点鎖線の上側が空気で下側が内容物。）の発生を防止できるので、吐出できずに残留する内容物の量を低減することができる。なお、ここでは、エアーポケットを説明するために、図１にエアーポケットを示したが、本実施形態に係る吐出容器１は環状凸部６を有しているので、このようなエアーポケットの発生は防止される。
【００２３】
また、環状凸部６は、図２〜図３に示すように、口部２に対する装着キャップ８のねじ込みが不完全なときに、ポンプ装置４に全周に亘って密着可能であるので、装着キャップ８のねじ込みが不完全な場合でも、口部２とポンプ装置４との間の隙間から外気が収容部５の内部に侵入することを防止し、その結果、吐出できずに残留する内容物の量を低減することができる。なお、このような装着キャップ８の不完全なねじ込みは、例えば、容器本体３の内容物がなくなった後、消費者等が、内容物を収容している他の容器本体３に、ポンプ装置４を付け替えて使用する場合などに生じ得る。
【００２４】
また、容器本体３は、積層剥離容器であるので、ブロー成形によって簡単且つ安価に得ることができる。
【００２５】
さらに、吐出容器１は、シリンダ１１、ステム１２、ピストン１３、吐出弁１４及び吸込弁１５を備える一般的な構成のポンプ装置４を備えているので、簡単且つ安価に得ることができる。
【００２６】
以下に、本実施形態に係る吐出容器１の各部の詳細について、例示説明する。
【００２７】
容器本体３は、外層体９の合成樹脂材料と内層体１０の合成樹脂材料とを積層させてチューブ状に押し出し、金型で挟み、内部に空気を吹き込んで中空品を成形するＥＢＭ成形（Ｅｘｔｒｕｓｉｏｎ  Ｂｌｏｗ  Ｍｏｕｌｄｉｎｇ／押出ブロー成形法）によって形成されている。
【００２８】
外層体９の材料には、例えば、低密度ポリエチレン（ＬＤＰＥ）、高密度ポリエチレン樹脂（ＨＤＰＥ）又はポリプロピレン（ＰＰ）等を用いることができる。内層体１０の材料には、例えば、エチレン―ビニルアルコール共重合樹脂（ＥＶＯＨ）又はナイロン等を用いることができる。なお、外層体９及び内層体１０の材料には、相互に相溶性が低い他の樹脂を用いることができる。また、外層体９と内層体１０との間には、適宜、接着帯を設けてもよい。
【００２９】
図２に示したように、容器本体３は、その底部１８に形成されるピンチオフ部１９を、外層体９と内層体１０との間に外気を導入するための外気導入孔として用いる底割れ（スリット）タイプのものとなっている。ただし、外気導入孔は、例えば、容器本体３の胴部２０に設けてもよい。
【００３０】
なお、ＥＢＭ成形に代えて、有底筒状に形成されたプリフォーム（容器素材）から中空品を形成する二軸延伸ブロー成形等のブロー成形によって形成してもよい。また、外層体９及び内層体１０の層構成は、単層でも積層でもよい。
【００３１】
容器本体３の口部２は、円筒状をなしている。なお、口部２は、円筒状以外の筒状をなしていてもよい。また、図示したように、胴部２０の中心軸線は、口部２の中心軸線Ｏと一致している。
【００３２】
口部２には、装着キャップ８を装着するためのねじ部７を構成する雄ねじ部２１が設けられている。雄ねじ部２１は、装着キャップ８に設けられた雌ねじ部２２に螺合するように構成されている。
【００３３】
図３に示したように、口部２における雄ねじ部２１より下方の部分には、口部２の内周面から全周に亘って径方向内側に向けて均一の高さＨ及び幅Ｗで突出する環状凸部６が設けられている。環状凸部６は、中心軸線Ｏを含む平面による断面形状が略半円形状をなしている。
【００３４】
口部２の外周面において、環状凸部６の背面側に位置する部分には、環状凸部６の前記断面形状に対応する略半円形状の断面形状をなす環状凹部２３が形成されている。環状凹部２３は、口部２の外周面から全周に亘って径方向内側に向けて均一の深さＤ及び幅Ｖで凹んでいる。環状凸部６の大きさや形状は、環状凹部２３の深さＤや幅Ｖを調整することによって自由に設定することができる。
【００３５】
図２〜図３に示したように、口部２における環状凸部６及び環状凹部２３より下方の部分には、円筒状をなす胴部２０の上端部に向けて漸次拡径するドーム状の肩部２４が連なっている。胴部２０の下端部には、底部１８が連なっている。
【００３６】
ポンプ装置４は、シリンダ１１、ステム１２、ピストン１３、吐出弁１４及び吸込弁１５を備えている。シリンダ１１は、径方向内側にステム１２、ピストン１３、吐出弁１４及び吸込弁１５が配置される円筒状をなすシリンダ本体部２５と、シリンダ本体部２５の上部から全周に亘って径方向外側に突出する円環状のフランジ部２６と、フランジ部２６の下面に設けられた円環状のパッキンシール１７と、を有する。
【００３７】
シリンダ本体部２５の上端部には、上端部材２７が取付けられている。フランジ部２６と上端部材２７との間には、装着キャップ８が回動可能に抜け止め保持されている。シリンダ本体部２５の下端部には、円筒状の吸い上げパイプ２８が取付けられている。
【００３８】
ステム１２は、円筒状の上部ステム２９と、上部ステム２９の下部に取付けられた下部ステム３０と、を有する。下部ステム３０は、周方向に間隔を空けて配置された、それぞれが上下方向に延びる複数の連結壁３１を有する。なお、複数の連結壁３１は、径方向に延在する補強リブ３２によって互いに連結されている。上部ステム２９と下部ステム３０との間には、ピストン１３がステム１２に対して相対的に上下動できるように保持されている。したがって、ピストン１３と下部ステム３０とが互いに当接可能な部分によって、吐出弁１４が構成されている。
【００３９】
ステム１２は、吸込弁１５とステム１２との間に配置されたコイルスプリング３３によって上方へ付勢されている。吸込弁１５は、弁体３４と、弁体３４に連なるとともにステム１２が下端まで移動したときにステム１２に当接可能な弁基部３５と、を有する。弁基部３５は、弁体３４が開いて吸い上げられる内容物をステム１２側に通過させる開口部（図示省略）を有している。
【００４０】
ステム１２の上端には押下げヘッド３６が取り付けられており、押下げヘッド３６を上方への付勢力に抗して押下げることにより、内容物をステム１２を通じて吸い上げ、押下げヘッド３６のノズル３７から吐出できるようになっている。
【００４１】
かかる構成によれば、容器本体３の口部２からポンプ装置４の吸い上げパイプ２８、シリンダ１１を挿入し、装着キャップ８を口部２に装着した際に、図３に示したように、口部２に対する装着キャップ８のねじ込みが不完全であったとしても、環状凸部６がシリンダ１１のシリンダ本体部２５の外周面に全周に亘って密着することにより、口部２とポンプ装置４のパッキンシール１７との間の隙間から外気が収容部５の内部に侵入することを防止することができる。したがって、ポンプ装置４によって吐出できずに収容部５内に残留する内容物の量を低減することができる。
【００４２】
以上、本発明の様々な実施形態について説明したが、前述したところは本発明の一例を示したにすぎず、発明の要旨を逸脱しない限り、種々の変更を加えてよいことは言うまでもない。
【符号の説明】
【００４３】
１  吐出容器
２  口部
３  容器本体
４  ポンプ装置
５  収容部
６  環状凸部
７  ねじ部
８  装着キャップ
９  外層体
１０  内層体
１１  シリンダ
１２  ステム
１３  ピストン
１４  吐出弁
１５  吸込弁
１６  上端面
１７  パッキンシール
１８  底部
１９  ピンチオフ部
２０  胴部
２１  雄ねじ部
２２  雌ねじ部
２３  環状凹部
２４  肩部
２５  シリンダ本体部
２６  フランジ部
２７  上端部材
２８  吸い上げパイプ
２９  上部ステム
３０  下部ステム
３１  連結壁
３２  補強リブ
３３  コイルスプリング
３４  弁体
３５  弁基部
３６  押下げヘッド
３７  ノズル
Ｏ  中心軸線
Ｈ  高さ
Ｗ  幅
Ｄ  深さ
Ｖ  幅
【図１】
2018034863.tif 000003
【図２】
2018034863.tif 000004
【図３】
2018034863.tif 000005